(57)【要約】無線ネットワーク制御装置（ＲＮＣ）が無線リソース制御（ＲＲＣ）メッセージを移動機に選択された下りリンク・チャネルを使用して送るように構成される。移動機の移動レートに依存して、ＲＮＣが信号接続を第１の下りリンク・チャネル又は第２の下りリンク・チャネルのいずれかをＲＲＣメッセージを送信するために使用して、ＲＮＣが信号接続を設定するように構成される。１つの実施形態によれば、ＲＮＣは、移動機が高い移動レートを有する場合に専用チャネルを選択し、移動機が低い移動レートを有する場合に共用チャネルを選択する。
2009506693.tif 000002
【特許請求の範囲】
【請求項１】
無線ネットワーク制御装置により実装される信号伝達方法であって、
移動機の移動レートを決定する工程と、
前記移動機との信号接続のために、第１の下りリンク・チャネルまたは第２の下りリンク・チャネルのいずれかを前記移動機の前記移動レートに基づいて選択する工程と、
前記移動機との信号接続を前記選択された下りリンク・チャネルを使用するために構成する工程と
を有する信号伝達方法。
【請求項２】
前記移動機の前記移動レートが当該移動機からの受信信号の信号特性に基づいて決定される請求項１に記載の信号伝達方法。
【請求項３】
前記信号特性が前記移動機からの前記受信信号のドップラー拡散を含む請求項２に記載の信号伝達方法。
【請求項４】
前記無線ネットワーク制御装置が在圏基地局からドップラー拡散の測定結果を受信する請求項３に記載の信号伝達方法。
【請求項５】
前記信号特性が前記移動機からの受信信号の信号強度を含む請求項２に記載の信号伝達方法。
【請求項６】
前記無線ネットワーク制御装置が在圏基地局からの前記信号強度の測定結果を受信する請求項５に記載の信号伝達方法。
【請求項７】
前記移動機の前記移動レートが当該移動機のハンドオーバ頻度に基づいて決定される請求項１に記載の信号伝達方法。
【請求項８】
前記第１の下りリンク・チャネルが専用チャネルを含み、第２の下りリンク・チャネルが共用チャネルを含む請求項１に記載の信号伝達方法。
【請求項９】
前記第１の下りリンク・チャネルか前記第２の下りリンク・チャネルのいずれかを前記移動機との信号接続のために選択する工程が、
前記移動機が高い移動レートを有する場合に前記専用チャネルを選択する工程と、
当該移動機が低い移動レートを有する場合に前記共用チャネルを選択する工程と
を有する請求項８に記載の信号伝達方法。
【請求項１０】
前記専用チャネルが専用物理チャネルを含み、前記共用チャネルが広帯域符号分割多元接続システムにおける高速物理下りリンク共用チャネルを含む請求項８に記載の信号伝達方法。
【請求項１１】
移動機に割り当てられた無線リソースを制御する無線ネットワーク制御装置であって、
前記移動機の移動レートを決定し、前記移動機との信号接続のために、第１の下りリンク・チャネル又は第２の下りリンク・チャネルのいずれかを前記移動レートに応じて選択し、前記移動機との前記信号接続を前記選択された下りリンク・チャネルを使用して構成する制御部と、
前記移動機と前記信号接続上で信号メッセージを交換する信号プロセッサと
を備える無線ネットワーク制御装置。
【請求項１２】
前記移動機の前記移動レートが当該移動機からの受信信号の信号特性に基づいて決定される請求項１１に記載の無線ネットワーク制御装置。
【請求項１３】
前記信号特性が前記受信信号のドップラー拡散を含む請求項１２に記載の無線ネットワーク制御装置。
【請求項１４】
前記信号特性が前記受信信号の信号強度を含む請求項１２に記載の無線ネットワーク制御装置。
【請求項１５】
前記制御部が、前記信号特性の測定結果を在圏基地局から受信する請求項１２に記載の無線ネットワーク制御装置。
【請求項１６】
前記移動機の前記移動レートが当該移動機のハンドオーバ頻度に基づいて決定される請求項１１に記載される無線ネットワーク制御装置。
【請求項１７】
前記第１の下りリンク・チャネルが専用チャネルを含み、前記第２の下りリンク・チャネルが共用チャネルを含む請求項１１に記載の無線ネットワーク制御装置。
【請求項１８】
前記専用チャネルが専用物理チャネルを含み、前記共用チャネルが広帯域符号分割多元接続システムにおける高速物理下りリンク共用チャネルを含む請求項１６に記載の無線ネットワーク制御装置。
【請求項１９】
無線ネットワーク制御装置を制御するためのコードを保存したコンピュータで読み取り可能な記憶媒体であって、前記コードが、
移動機の移動レートを決定するためのコードと、
前記移動機との信号接続のために、第１の下りリンク・チャネル又は第２の下りリンク・チャネルのいずれかを当該移動機の前記移動レートに基づいて選択するためのコードと、
前記移動機との前記信号接続を前記選択された下りリンク・チャネルを使用して構成するためのコードと
を含むコンピュータで読み取り可能な記憶媒体。
【請求項２０】
移動機の移動レートを決定するための前記コードが前記移動機からの受信信号の信号特性を解析する請求項１９に記載のコンピュータで読み取り可能な記憶媒体。
【請求項２１】
移動機の移動レートを決定するための前記コードが前記移動レートを前記受信信号の前記信号強度に基づいて決定する請求項２０に記載のコンピュータで読み取り可能な記憶媒体。
【請求項２２】
移動機の移動レートを決定するための前記コードが前記移動レートを前記受信信号の前記ドップラー拡散に基づいて決定する請求項２０に記載のコンピュータで読み取り可能な記憶媒体。
【請求項２３】
移動機の移動レートを決定するための前記コードが前記移動レートをハンドオーバ頻度に基づいて決定する請求項１９に記載のコンピュータで読み取り可能な記憶媒体。
【発明の詳細な説明】
【技術分野】
【０００１】
本発明は、広くは符号分割多元接続（ＣＤＭＡ）システムに関するものであり、詳しくはＷＣＤＭＡシステムにおけるＨＳＤＰＡ用無線リソース制御の信号伝達に関する。
【背景技術】
【０００２】
高速下りリンク・パケット接続（ＨＳＤＰＡ）は、広帯域符号分割多元接続（ＷＣＤＭＡ）ネットワークで提供されるパケット・データ・サービスである。ＨＳＤＰＡは、ＷＣＤＭＡ標準のリリース９９で第３世代パートナーシップ・プロジェクト（３ＧＰＰ)により仕様化されたＷＣＤＭＡの発展形である。ＨＳＤＰＡは、ＷＣＤＭＡ標準のリリース５で導入され、強化機能、たとえば高次変調（１６ＱＡＭ）、ソフト合成を伴う物理レイヤ再送、ハイブリッド自動再送要求（Ｈ−ＡＲＱ）、マルチコード送信、高速リンク適応および高速スケジューリングなどを使用して最大１０Ｍビット／秒までのピーク・データ速度を提供する。ＨＳＤＰＡ用のトランスポート・チャネルは高速下りリンク共用チャネル（ＨＳ−ＤＳＣＨ）である。ＨＳ−ＤＳＣＨは、高速物理下りリンク共用チャネル（ＨＳ−ＰＤＳＣＨ）上で担われる。
【０００３】
ＨＳ−ＤＳＣＨは、複数の移動機により共用される時間多重チャネルである。移動機は、在圏基地局によりＨＳ−ＰＤＳＣＨ上でデータを受信するようにスケジューリングされる。スケジューリン間隔は、送信時間間隔（ＴＴＩ）と称される。ある所定のＴＴＩの間に、１つ以上の移動機がスケジューリングされる可能性がある。移動機は、高速専用物理制御チャネル（ＨＳ−ＤＰＣＣＨ）と呼ばれる上りリンク・チャネルでチャネル状態を基地局に報告し、基地局がスケジューリングを決定できるようにする。基地局は、移動機を、少なくとも一部分は報告されたチャネル状態に基づいてスケジューリングする。ある所定のＴＴＩ内にＨＳ−ＤＳＣＨ上でパケット・データを受信するようにスケジューリングされた移動機のＩＤは、高速共用制御チャネル（ＨＳ−ＳＣＣＨ）上で送信される。ＨＳ−ＳＣＣＨはまた、ＨＳ−ＤＳＣＨをデコードするために移動機が必要とする送信パラメータ、たとえば、コード・チャネル、トランスポート・ブロックの大きさ、および対応するＴＴＩ内で使用される変調方式などを送るために使用される。
【０００４】
ＷＣＤＭＡ標準のリリース５では、ＨＳ−ＤＳＣＨは常に付随専用物理チャネル（Ａ−ＤＰＣＨ）と連動して動作する。Ａ−ＤＰＣＨは、移動機と基地局との間で電力制御信号および無線リソース制御（ＲＲＣ）メッセージを担う。無線リソース制御は、無線アクセス・ネットワークにおいて移動機の無線ネットワーク制御装置による制御を提供するプロトコルである。ＷＣＤＭＡ標準のリリース６は、ＲＲＣ信号メッセージが、Ａ−ＤＰＣＨの代わりにＨＳ−ＰＤＳＣＨ上で移動機に送られることを可能にしている。ＨＳ−ＰＤＳＣＨ上の帯域内信号方式を使用する理由は、信号のために割り当てられる電力量を低減し、より多くの電力がＨＳ−ＤＳＣＨに割り当てられることができるようにするためである。ＷＣＤＭＡ標準のリリース６では、ＲＲＣメッセージはＨＳ−ＰＤＳＣＨの帯域内で送ることができる。ＨＳ−ＰＤＳＣＨ上の帯域内信号方式が使用される場合、ＤＰＣＨは電力制御情報のみを担うために使用され、部分ＤＰＣＨ（Ｆ−ＤＰＣＨ）と呼ばれる。
【発明の開示】
【発明が解決しようとする課題】
【０００５】
Ａ−ＤＰＣＨとは違って、ＨＳ−ＰＤＳＣＨはソフト・ハンドオーバを使用せず、ＲＲＣ信号の移動機への送信はＡ−ＤＰＣＨを使用するより信頼性が劣るであろう。チャネル状態は、特に移動機が高速度で移動している場合、ＨＳ−ＰＤＳＣＨ上で急激に変動する可能性がある。クリティカルなＲＲＣメッセージ、たとえばハンドオーバ・メッセージが劣悪なチャネル状態のため失われると、無線リンク障害に繋がる場合がある。したがって、基地局と移動機との間の信号伝達を、特にＨＳ−ＰＤＳＣＨ上の帯域内信号伝達がＲＲＣメッセージを担うのに使用される場合、より堅牢にする必要がある。
【課題を解決するための手段】
【０００６】
本発明の実施形態は、無線リソース制御（ＲＲＣ）メッセージを無線ネットワーク制御装置（ＲＮＣ）から移動機に送るための方法および装置を提供する。ＲＮＣは、信号メッセージを移動機に送るために移動機とのＲＲＣ接続を確立する。移動機の移動レートに依存して、ＲＮＣは、ＲＲＣメッセージを移動機に送信するために、第１の下りリンク・チャネル又は第２の下りリンク・チャネルのいずれかを選択することができる。第１の下りリンク・チャネルは移動機が高速度で移動している場合に選択される。第２の下りリンク・チャネルは移動機が低速度で移動している場合に選択される。１つの実施形態の例では、第１の下りリンク・チャネルは専用チャネルを備え、そして第２の下りリンク・チャネルは共用チャネルを備えることができる。
【０００７】
ＲＲＣ接続は、移動機の移動レートすなわち速度の変化に対応して、ＲＮＣにより動的に再構成することができる。ＲＮＣはＨＳＤＰＡセッションの間移動機の移動レートを監視し、そして移動レートに依存してＲＲＣ接続を再構成する。移動レートは移動機からの受信信号の信号特性に基づいて決定することができる。信号特性の例には、受信信号のドップラー拡散すなわち受信信号の信号強度を含む。また、移動レートはハンドオーバ頻度のような他の要因に基づいて推定することができる。
【０００８】
本発明の１つの実施形態は、無線ネットワーク制御装置により実装される信号伝達方法を備える。信号伝達方法は移動機の移動レートを決定する工程と、移動機との信号接続を確立するために使用すべき第１または第２の下りリンク・チャネルの１つを選択する工程と、選択された下りリンク・チャネルを使用するために移動機との信号接続を設定する工程とを有する。
【０００９】
本発明の実施形態の別の例は、無線通信ネットワークのための無線ネットワーク制御装置を備える。無線ネットワーク制御装置は制御部および信号プロセッサを備える。制御部は、移動機の移動レートを決定し、移動レートに依存して第１または第２の下りリンク・チャネルを選択し、および選択された下りリンク・チャネルを使用するために移動機との信号接続を設定するように構成される。信号プロセッサは、移動機と信号メッセージを交換するために確立された信号接続を使用するように構成される。
【発明を実施するための最良の形態】
【００１０】
図１は、移動通信サービスを１つ以上の移動機１００に提供するための無線通信ネットワーク１０の例を説明している。本明細書で使用されている用語「移動機」は、無線を使って通信ネットワークに接続する能力を有する任意の携帯用通信デバイスに適用される。用語「移動機」には、移動電話、ページャ、携帯情報端末およびラップトップまたはハンドヘルド・コンピュータを含むが、これに限定されるものではない。無線通信ネットワーク１０の例は、第３世代パートナーシップ・プロジェクト（３ＧＰＰ）により仕様化された広帯域符号分割多元接続（ＷＣＤＭＡ）システムを含む。当業者は、本発明がまた、他の標準、たとえば、ｃｄｍａ２０００（ＴＩＡ−２０００）、１ｘＥＶ−ＤＯ（ＴＩＡ−８５６ａ）およびＷｉＭＡＸ（ＩＥＥＥ８０２．１６）などに基づいた移動通信ネットワークで使用できることを認めるであろう。
【００１１】
無線通信ネットワーク１０は、１つ以上の外部のパケット・データ網、たとえばインターネットに接続しているコア・ネットワーク（ＣＮ）２０、および１つ以上の無線アクセス・ネットワーク（ＲＡＮｓ）３０を備える。コア・ネットワーク２０は、移動機１００と外部ネットワークとの間の呼の交換およびルーチングに対して責を担っている。コア・ネットワーク２０は、回線交換サービスを提供するための移動交換局（ＭＳＣ）２２およびパケット交換サービスを提供する在圏ＧＰＲＳサポート・ノード（ＳＧＳＮ）２４を含むことができる。ＲＡＮ３０の主要な機能は、移動機１００にコア・ネットワーク２０への接続を提供することである。ＲＡＮ３０は、１つ以上の無線ネットワーク・サブシステム（ＲＮＳｓ）３２を含む。ＲＮＳ３２は、無線ネットワーク制御装置（ＲＮＣ）３４、およびＷＣＤＭＡ標準ではノードＢｓと称せられている基地局（ＢＳｓ）３６を１つ以上備える。この出願では、ＷＣＤＭＡ特有の用語ノードＢｓの代わりに、一般名である基地局（ＢＳ）を使用する。
【００１２】
ＢＳｓ３６は、移動機１００と無線インタフェースで通信し、通常１つのセルに付随している。１つのＢＳ３６は、複数のセル内にサービスを提供する場合がある。ＲＮＣ３４は、ＲＡＮ３０をコア・ネットワーク２０に接続し、そしてＲＡＮ機能を制御するネットワーク構成要素である。ＲＮＣ３４は、その領域内のＢＳｓ３６および無線リソースを管理し、無線リソース制御（ＲＲＣ）を終結させる。ＲＲＣは、移動機のＲＮＣ３４による制御を提供するプロトコルである。ＲＮＣ３４により実行されるＲＲＣ機能には、測定報告、アクティブ・セットの管理およびハンドオーバ制御を含む。
【００１３】
高速下りリンク・パケット接続（ＨＳＤＰＡ）は、無線通信ネットワーク１０により実装される１つの方法であり、下りリンクで移動機１００にパケットを配信する。ＨＳＤＰＡはＷＣＤＭＡ標準の以前のバージョンにある下りリンク共用チャネル（ＤＳＣＨ）の発展形である。ＨＳＤＰＡはＷＣＤＭＡ標準のリリース５で導入された。ＨＳＤＰＡの主目的は、機能強化、たとえば高速スケジューリング、高速リンク適応、物理レイヤ自動再送要求（ＨＡＲＱ）、パケット・サイズの縮小およびマルチコード送信などを使用してデータ・スループットを向上させることである。ＨＳＤＰＡは、パケット・データのバースト性を巧みに利用して、利用できる無線リソースを複数のユーザ間で共用し、そしてそれによりそれらのリソースをより効率よく活用する。
【００１４】
ＨＳＤＰＡは、高速下りリンク共用チャネル（ＨＳ−ＤＳＣＨ）と呼ばれる下りリンクでの高速パケット配信のための１つの新しいトランスポート・チャネルおよび２つの新しい下りリンク物理チャネル（ユーザ・データを担う高速物理下りリンク共用チャネル（ＨＳ−ＰＤＳＣＨ）と、スケジューリングされている移動機を識別するため、およびＨＳ−ＰＤＳＣＨをデコードするために移動機が必要とする送信パラメータを知らせるための下りリンク信号を担う高速共用制御チャネル（ＨＳ−ＳＣＣＨ））を提供する。ＨＳＤＰＡはまた、高速専用物理制御チャネル（ＨＳ−ＤＰＣＣＨ）と呼ばれる１つの上りリンク・チャネルを付加し、上りリンク信号、たとえばＨ−ＡＲＱ動作のための（確認応答／否定応答）ＡＣＫ／ＮＡＣＫ信号、およびスケジューリングおよびレート制御のためのチャネル品質表示（ＣＱＩ）を担う。ＷＣＤＭＡ標準のリリース５に準拠したＨＳＤＰＡは、常に対応する付随専用物理チャネル（Ａ−ＤＰＣＨ）と連動して動作する。Ａ−ＤＰＣＨは、電力制御コマンドを送るのに使用され、またＲＲＣ信号を移動機１００に送るのにも使用できる。
【００１５】
ＷＣＤＡ標準のリリース６は、Ａ−ＤＰＣＨの代わりに高速物理下りリンク共用チャネル（ＨＳ−ＰＤＳＣＨ）の帯域内でＲＲＣ信号メッセージを在圏基地局が移動機に送ることを可能にし、その場合、ＤＰＣＨは電力制御情報を担うためにのみ使用され、そして部分ＤＰＣＨ（Ｆ−ＤＰＣＨ）と呼ばれる。
【００１６】
ＨＳ−ＤＳＣＨ上での送信は、送信時間間隔（ＴＴＩ）と呼ばれる２ミリ秒単位の時間に分割される。１つのＴＴＩはさらに、各々０．６６７ミリ秒の３つのタイムスロットに分割される。１つのＴＴＩは、移動機１００をＨＳ−ＤＳＣＨ上でスケジューリングするのに使用される基本単位時間である。スケジューリングは、在圏ＢＳ３６内にあるスケジューラにより実行される機能である。在圏ＢＳ３６のスケジューラは、いずれの移動機１００が各要因、たとえば各々の移動機１００により報告されるチャネル状態、各々の移動機１００用のバッファ内に保留されているデータの量、各々の移動機１００に対する平均スループット、および任意のサービス品質（ＱｏＳ）保証などに基づいて、各々のＴＴＩ内でデータを受信することになるかを決定する。スケジューリング・アルゴリズムは、通常ネットワーク事業者により決定される。任意の所定のＴＴＩの間に、ＢＳ３６は、１つ以上の移動機１００に対して最大で１５までのチャネライゼーション・コードを割り当てる。
【００１７】
ＢＳ３６は、スケジューリングされている移動機（含複数）１００、コード割り当ておよび送信フォーマットを、ＨＳ−ＳＣＣＨを介して識別する。ＨＳ−ＳＣＣＨは、固定レートのチャネル（６０ｋｂｐｓ、拡散係数＝１２８）であり、下りリンク信号を対応するＴＴＩの開始前に送信するのに使用される。ＨＳ−ＳＣＣＨブロックは２つの部分に分割される。部分１はＨＳ−ＤＳＣＨの復調を開始するために移動機１００が必要とするクリティカルな情報を担う。部分２はあまりクリティカルでない情報、たとえば巡回冗長検査（ＣＲＣ）およびＨＡＲＱ処理情報などを担う。ＢＳ３６は、対応するＴＴＩの開始前にＨＳ−ＳＣＣＨの２つのタイムスロットを送信する。両方の部分は、対応するＴＴＩ内にスケジューリングされる移動機１００を識別する移動機特有のマスクとともに送信される。
【００１８】
ＨＳ−ＤＰＣＣＨは、ＨＳＤＰＡ動作に関連する信号を担う上りリンク・チャネルである。移動機１００はＨＳ−ＤＰＣＣＨを使用してチャネル品質表示（ＣＱＩ）をＢＳ３６に送る。ＢＳ３６はＣＱＩを使用してスケジューリング決定を行う。移動機１００はまた、ＨＳ−ＤＰＣＣＨを使用してＨＡＲＱ動作に対してＢＳ３６にＡＣＫ／ＮＡＣＫ表示を送り、送信されたパケットが首尾よく受信されたかどうかを知らせる。
【００１９】
移動機１００はＨＳ−ＳＣＣＨを監視し、ＨＳ−ＰＤＳＣＨ上でのパケット・データの受信がいつスケジューリングされるかを決定する。より詳しくは、移動機１００は各々のＨＳ−ＳＣＣＨの部分１をデコードし、対応するＴＴＩに対してスケジューリングされているかどうかを判定する。移動機１００が対応するＴＴＩでスケジューリングされている場合、それはまたＨＳ−ＳＣＣＨの部分２をデコードし、そして指定されたＴＴＩの開始に当たってＨＳ−ＰＤＳＣＨをデコードし始める。ＨＳ−ＰＤＳＣＨをデコードしてから、移動機１００はＡＣＫ／ＮＡＣＫ表示をＢＳ３６にＨＳ−ＤＰＣＣＨ上で送り、パケット・データが首尾よく受信されたかどうかを知らせる。
【００２０】
無線リソース制御（ＲＲＣ）は、移動機１００がＨＳ−ＤＳＣＨ上で動作している場合にＲＮＣ３４により実行される。ＲＲＣは無線リソースを管理するためのプロトコルである。ＲＲＣ機能には、無線ベアラ、トランスポート・チャネルおよび物理チャネルの設定、移動機測定の測定制御、およびハンドオーバ制御を含む。これらの機能を実行するために、ＲＮＣ３４は、ＲＮＣ３４と移動機１００との間でＲＲＣ接続および信号ベアラを設定する。ＲＲＣ接続の設定、維持、解放はまた、ＲＲＣ機能の中の１つである。慣習的に、ＲＲＣメッセージは、ＲＮＣ３４と移動機１００との間で専用トラヒック・チャネル、たとえばＡ−ＤＰＣＨ上で送られる。ＷＣＤＭＡ標準のリリース６は、下りリンクＲＲＣメッセージを共用トラヒック・チャネルであるＨＳ−ＰＤＳＣＨ上帯域内で移動機１００に送信することを容認している。このような変更の動機は、専用チャネルに割り当てられる電力を低減し、より多くの電力をＨＳ−ＰＤＳＣＨで利用できるようにすることであった。場合、ＤＰＣＨは電力制御情報を担うためにのみ使用され、そして部分ＤＰＣＨ（Ｆ−ＤＰＣＨ）と呼ばれる。
【００２１】
Ａ−ＤＰＣＨとＨＳ−ＰＤＳＣＨとの違いの１つは、Ａ−ＤＰＣＨ上でのソフト・ハンドオフの使用である。ソフト・ハンドオフの間、移動機１００は複数の基地局３６から信号を受信し、それが受信をより信頼できるものとする。対照的に、ソフト・ハンドオフは、ＨＳ−ＰＤＳＣＨに対しては、異なるセルからの送信を協調させることの複雑さゆえに使用されない。在圏基地局３６からの信号品質は、特に移動機１００が高速度で移動している場合、著しく変動する可能性があり、パケットの損失に繋がる場合がある。クリティカルなＲＲＣメッセージの損失は、無線リンク障害に繋がる可能性がある。
【００２２】
ソフト・ハンドオフの使用故に、Ａ−ＤＰＣＨは、ＲＲＣメッセージを移動機１００に送信するために、より信頼性の高いメカニズムを提供する。一方、ＲＲＣ信号にＡ−ＤＰＣＨを使用することは、ＨＳ−ＰＤＳＣＨに使用できる電力およびコード・リソースの総計を低減させる。本発明は、信頼できる信号伝達に対する要求と信号伝達に専有される電力およびコード・リソースを低減する要望とを、本明細書でチャネル・タイプ切り替えと称せられる手法を使用することにより両立させる。ＲＮＣ３４は移動機１００の在圏ＢＳ３６との相対的な移動レートを監視する。移動機１００の移動レートは、移動機１００からの受信信号の測定に基づいて、またはハンドオーバ頻度のような他の基準に基づいて決定することができる。たとえば、分あたり４、５回のハンドオーバの発生は高移動度の移動機１００を示す。分あたり１回以下のハンドオーバの発生は低移動度の移動機１００を示す。移動機１００の移動レートに基づいて、ＲＮＣ３４はＡ−ＤＰＣＨ（専用チャネル）又はＨＳ−ＰＤＳＣＨ（共用チャネル）のいずれをＲＲＣ信号伝達に使用すべきかを選択する。移動機１００が高速度で移動している場合、ＲＮＣ３４はＡ−ＤＰＣＨをＲＲＣ信号伝達用に選択し、信号チャネルの信頼性を増大させる。逆に、移動機１００が低速度で移動している場合、ＲＮＣ３４はＨＳ−ＰＤＳＣＨをＲＲＣ信号伝達用に使用する。チャネル間で切り替える場合、ＲＮＣ３４は再構成メッセージを移動機１００に送り、ＲＮＣ３４と移動機１００との間のＲＲＣ接続を再構成する。下りリンク制御チャネルの選択は、接続確立中に行うことができ、そして移動機１００の移動レートが変化すると、接続中に変更することができる。本発明のいくつかの実施形態では、移動レート検出は、移動機１００により実行できる。この場合、移動機１００は、ＲＲＣ信号伝達のためにＡ−ＤＰＣＨ又はＨＳ−ＰＤＳＣＨのいずれかの使用を移動レートに基づいて要請することができる。あるいは、移動機１００は、移動レートの表示をＲＮＣ３４に上りリンク制御チャネル上で送ることができよう。
【００２３】
図２は、本発明の実施形態に準拠した移動機１００の例を説明している。移動機１００は、１つ以上のアンテナ１１２と連結している無線周波数（ＲＦ）回路（または送受信機）１０２およびベースバンド処理回路１２０を備える。ＲＦ回路１０２は、受信機フロント・エンド１０４および送信機フロント・エンド１０６を備える。受信機フロント・エンド１０４は、受信信号をフィルタし、増幅およびダウンコンバートする。アナログ・デジタル変換器１０８は、受信機フロント・エンド１０４の出力をベースバンド処理回路１２０による処理に適したデジタル信号に変換する。送信側では、デジタル・アナログ変換器１１０は、ベースバンド処理回路１２０から出力された送信信号を送信に適したアナログ信号に変換する。送信機フロント・エンド１０６は、アナログ送信信号をアンテナ１１２による送信のためにＲＦ搬送波上に変調する。
【００２４】
ベースバンド処理回路１２０は、復調器１２２、デコーディング回路１２４、測定回路（ＭＣ）１２６、制御プロセッサ１２８、エンコーディング回路１３０および変調器１３２を備える。復調器１２２は、移動機１００から無線インタフェースで受信した信号を復調し、そして復調された信号をデコーディング回路１２４に供給する。復調器１２２は、たとえばＲＡＫＥ受信機、またはチップ等化受信機を備えることができる。デコーディング回路１２４は、チャネル・デコーディングを実行し、そしてユーザ・データを制御メッセージから切り離す。制御メッセージ、たとえばＲＮＣ３４からのＲＲＣメッセージは制御プロセッサ１２８に渡され、それが移動機１００の全体の動作を制御し、そしてそれは１つ以上のプロセッサを備えることができる。制御プロセッサ１２８は、レイヤ２およびレイヤ３の信号を処理し、点線で示されている制御信号を生成して、復調器１２２、デコーディング回路１２４、エンコーディング回路１３０および変調器１３２を設定する。制御プロセッサ１２８は、ＲＮＣ３４からの再構成メッセージに対応して復調器１２２およびデコーディング回路１２４を再設定し、Ａ−ＤＰＣＨかＨＳ−ＰＤＳＣＨのいずれかでＲＲＣメッセージを受信する働きをする。測定回路１２６は、受信信号に関する信号品質測定を実行し、そして信号品質測定結果を制御プロセッサ１２８に提供する。エンコーディング回路１３０は、ユーザ・データおよび制御信号のチャネル・コーディングを実行する。変調器１３２は、エンコーディング回路１３０からの信号出力をデジタル変調し、デジタル・アナログ変換器１１０に適用される送信信号を生成する。
【００２５】
当然のことながら、移動機１００の素子または構成要素、たとえばベースバンド処理回路１２０は、色々なハードウェアおよびソフトウェアを使用して実装することができる。たとえば、ベースバンド処理回路１２０は、１つ以上のマイクロプロセッサ、マイクロコンピュータ、デジタル信号プロセッサ（ＤＳＰｓ）、専用ハードウェア、たとえば特定用途向け集積回路（ＡＳＩＣ）およびプログラマブル論理デバイス、またはそれらの組み合わせを使用して実装することができる。さらに、当然のことながら、ベースバンド処理回路１２０の機能は、単一デバイス、たとえば単一ＡＳＩＣまたはマイクロプロセッサにより一体化することができ、またはいくつかのデバイスのなかにまた分配することができる。
【００２６】
図３はＲＮＣ３４およびＢＳ３６をより詳しく説明している。ＲＮＣ３４は、制御部６２およびレイヤ３（Ｌ３）信号プロセッサ６４を含む無線リソース制御装置６０を備える。制御部６２は無線リソースを管理し、点線で示されている制御信号を生成するための制御論理を含み、トランスポート・チャネル、論理チャネル、および物理チャネルをＢＳ３６で設定する。Ｌ３信号プロセッサ６４は移動機１００と共にＬ３信号を処理する。上で述べたように、ＲＲＣメッセージは移動機１００にＡ−ＤＰＣＨ上で、またはＨＳ−ＤＰＳＣＨ上帯域内で送信することができる。制御部６２のタスクの１つは、ＲＮＣ３４と移動機１００との間のＲＲＣ信号方式のために使用されるチャネルを選択することである。
【００２７】
ＢＳ３６は、１つ以上の移動機１００と通信するためのアンテナ３８に結合された受信回路４０および送信回路５０を備える。受信回路４０は受信機フロント・エンド４２、検出器４４およびドップラー推定器４６を含む。受信機フロント・エンド４２は、移動機１００からの受信信号をフィルタし、増幅およびダウンコンバートする。受信フロント・エンド４２からの出力信号は、Ａ／Ｄ変換後検出器４４に供給される。検出器４４は、受信信号を逆拡散し、復調およびデコーディングするための処理回路を含む。移動機１００から受信されたＲＲＣメッセージは、検出器４４によりＲＮＣ３４内の制御部６２およびＬ３信号プロセッサ６４またはそのいずれかに渡される。送信回路５０は変調器５２および送信機フロント・エンド５４を含む。変調器５２は移動機１００への送信のための信号をエンコードし、そしてエンコードされた信号を、当技術分野で周知のように、信号点配置の対応する点に写像する。変調された信号は、送信機フロント・エンド５４に渡され、それが信号を周波数逓倍および増幅し、そして信号をＲＦ搬送波上で変調する。
【００２８】
ドップラー推定器４６は、受信信号のドップラー拡散を推定し、そしてドップラー拡散の推定値をＲＮＣ３４内の制御部６２に提供する。ドップラー拡散は、移動機１００の移動レートの１つの指標を提供する。当業者は、他のパラメータが移動レートの指標として使用できることを認めるであろう。たとえば、受信信号強度は移動レートに関連しており、そして受信信号のドップラー拡散の代わりにまたはそれに加えて、移動機１００の移動レートの指標として使用することができよう。また、高速度で移動している移動機１００は高頻度のハンドオーバにさらされているであろう。それ故、ハンドオーバ頻度は移動機１００の移動レートの別の指標を提供する。ハンドオーバ頻度は、ＲＮＣ３４内の制御部６２により決定することができる。移動機速度と相関している任意の既知パラメータを、本発明において移動機の移動度の指標として使用することができ、本発明は本明細書で与えられている特定の例に限定されるべきではない。
【００２９】
当然のことながら、ＢＳ３６およびＲＮＣ３４は、色々なハードウェアおよびソフトウェアを使用して実装することができる。たとえば、ＢＳ３６およびＲＮＣ３４の素子および構成要素は、１つ以上のマイクロプロセッサ、マイクロコントローラ、デジタル信号プロセッサ（ＤＳＰｓ）、専用ハードウェア、たとえば特定用途向け集積回路（ＡＳＩＣ）およびプログラマブル論理デバイス、またはそれらの組み合わせを使用して実装することができる。さらに、当然のことながら、ＢＳ３６およびＲＮＣ３４の素子および構成要素は、単一のデバイス、たとえば単一ＡＳＩＣまたはマイクロプロセッサに一体化することができ、またはいくつかのデバイスの中にまた分配することができる。また、当然のことながら、ＢＳ３６およびＲＮＣ３４は、別々のデバイスで示されているが、単一のノードに一体化することができる。
【００３０】
図４はＲＮＣ３４により実装される手順の例を説明するフローチャートである。その手順は移動機１００とのＨＳＤＰＡセッションが進行中の場合（ブロック２００）に実行される。ＨＳＤＰＡセッション中、制御部６２は移動機１００の移動レートを監視する（ブロック２０２）。制御部６２が移動レートの変化（たとえば高い移動レートから低い移動レートへ、または逆も同様）を検出すると（ブロック２０４）、制御部６２は移動機１００とのＲＲＣ接続をＲＮＣ３４に対して再構成する（ブロック２０６、２０８）。移動機１００が低い移動レートから高い移動レートに切り替える場合、制御部６２はＲＮＣ３４に対してＲＲＣ接続を再構成し、ＲＲＣメッセージを移動機１００にＡ−ＤＰＣＨ上で送る（ブロック２０６）。逆に移動機１００が高い移動レートから低い移動レートに切り替える場合、制御部６２はＲＲＣ接続を再構成し、ＲＲＣメッセージを移動機１００にＨＳ−ＰＤＳＣＨ上帯域内で送る（ブロック２０８）。再構成の間、Ｌ３プロセッサ６４は再構成メッセージを移動機１００に送る（ブロック２１０）。ＲＲＣ接続の再構成は、移動機１００が、無線リンク障害を回避するために再構成メッセージに確認応答する場合に有効にすることができる。このように、ＲＮＣ３４がＲＲＣ信号伝達のために現在Ａ−ＤＰＣＨを使用していると、再構成メッセージはＡ−ＤＰＣＨ上で送られる。確認応答がＲＮＣ３４により受信されてから、ＲＮＣ３４は、ＨＳ−ＰＤＳＣＨ上での帯域内信号伝達を任意の後続のＲＲＣメッセージのためのＲＲＣ信号伝達のために使用する。逆に、ＲＮＣ３４がその時点でＲＲＣ信号伝達のためにＨＳ−ＰＤＳＣＨを使用している場合、再構成メッセージはＨＳ−ＰＤＳＣＨ上で送られる。確認応答がＲＮＣ３４により受信されてから、ＲＮＣ３４は後続のＲＲＣメッセージのためにＡ−ＤＰＣＨを使用する。
【００３１】
ＲＲＣ信号伝達のために専用チャネルと共用チャネルとの間で切り替えることにより、無線リソースのより効率的な使用が、ＲＮＣ３４と移動機１００との間のＲＲＣ接続に対して高度の信頼性を維持しながら実現できる。移動機１００が高い移動レートを有している場合、ＲＮＣ３４は電力およびコード・リソースを専用チャネルに割り当て、ＲＲＣメッセージを移動機１００に送信することができる。逆に、移動機１００が低い移動レートで動作している場合、共用チャネル上での送信は、ＲＮＣ３４が電力およびコード・リソースを専用チャネルから共用チャネルに再割り当てて効率性を改善できるように、十分に信頼できるものでなければならない。このように、電力およびコード・リソースは、ＲＲＣメッセージの移動機１００への信頼できる送信を保証することが必要である場合のみ、専用チャネルに割り当てられ、信頼できる信号方式がＨＳ−ＰＤＳＣＨ上で達成できる場合はＨＳ−ＰＤＳＣＨが使用できる。
【００３２】
本発明はもちろん、本発明の本質的な特性から逸脱することなく、本明細書で詳細に説明されているもの以外の方法で実施することができる。本実施形態は、あらゆる面で実例であるとみなされるべきで、限定であると見なされるべきではなく、添付の特許請求の範囲の意義および均等範囲の全ての変更は、その点において受け入れられるように意図されている。
【図面の簡単な説明】
【００３３】
【図１】移動通信ネットワークの例を説明する図である。
【図２】移動機の例を説明する図である。
【図３】無線アクセス・ネットワークの例を説明する図である。
【図４】移動機の移動度の変化に対応して移動機とのＲＲＣ接続を設定するための論理の例を説明する図である。
【図１】
2009506693.tif 000003
【図２】
2009506693.tif 000004
【図３】
2009506693.tif 000005
【図４】
2009506693.tif 000006
【国際調査報告】
2009506693.tif 000007
2009506693.tif 000008